(57)【要約】【課題】ディレクトリタグ付けサービスを提供する方法およびこの方法を実行するシステムを提供する。【解決手段】ディレクトリタグ付けサービスを提供する方法は、ウェブページから現頻度順に所定の数の単語を抽出する段階と、抽出された単語を用いてウェブページのタグリストを生成および維持する段階と、ウェブページにアクセスしたユーザにタグリストを提供し、ユーザから選択されたタグを確認する段階と、選択されたタグをウェブページと連関してタグデータベースに保存および維持する段階とを含む。このとき、ディレクトリタグ付けサービスを提供する方法は、タグデータベースを用いてウェブページを露出させる段階をさらに含むことができる。【選択図】図２
2008262559.tif 000002
【特許請求の範囲】
【請求項１】
ディレクトリタグ付けサービスを提供する方法であって、
ウェブページから出現頻度順に所定の数の単語を抽出する段階と、
前記単語を用いてウェブページのタグリストを生成および維持する段階と、
前記ウェブページにアクセスしたユーザに前記タグリストを提供し、前記ユーザから選択されたタグを確認する段階と、
を含むことを特徴とするディレクトリタグ付けサービス提供方法。
【請求項２】
前記ウェブページから出現頻度順に所定の数の単語を抽出する段階は、
ディレクトリデータベースからＵＲＬを抽出する段階と、
前記ＵＲＬに該当するウェブページを巡回してテキスト内容を抽出する段階と、
前記テキスト内容から単語を抽出し、前記単語別に前記出現頻度を集計する段階と、
前記単語のうちから前記出現頻度順に前記所定の数の単語を抽出する段階と、
を含むことを特徴とする請求項１に記載のディレクトリタグ付けサービス提供方法。
【請求項３】
前記単語を用いて前記ウェブページのタグリストを生成および維持する段階は、
前記出現頻度順に整列された前記単語のリストを前記タグリストとして生成して維持することを特徴とする請求項１に記載のディレクトリタグ付けサービス提供方法。
【請求項４】
前記ウェブページにアクセスしたユーザに前記タグリストを提供し、前記ユーザから選択されたタグを確認する段階は、
前記ウェブページが含む詳細情報提供機能によって前記タグリストを提供し、前記タグリストのタグのうちから前記ユーザによって選択されたタグを確認することを特徴とする請求項１に記載のディレクトリタグ付けサービス提供方法。
【請求項５】
前記選択されたタグを前記ウェブページと連関してタグデータベースに保存および維持する段階をさらに含むことを特徴とする請求項１に記載のディレクトリタグ付けサービス提供方法。
【請求項６】
前記タグデータベースを用いて前記ウェブページを露出させる段階をさらに含むことを特徴とする請求項５に記載のディレクトリタグ付けサービス提供方法。
【請求項７】
前記タグデータベースを用いて前記ウェブページを露出させる段階は、
前記ウェブページと連関して保存された同一のタグの数に応じて、前記タグを含む検索語に対する前記ウェブページの検索ランキングに前記タグの数を反映して前記ウェブページを露出させることを特徴とする請求項６に記載のディレクトリタグ付けサービス提供方法。
【請求項８】
前記タグデータベースを用いて前記ウェブページを露出する段階は、
前記ウェブページと連関して保存された同一のタグの数に応じて、前記タグを検索キーワードとして追加して前記ウェブページを露出させることを特徴とする請求項６に記載のディレクトリタグ付けサービス提供方法。
【請求項９】
前記タグデータベースを用いて前記ウェブページを露出させる段階は、
前記ウェブページと連関して保存された同一のタグの数に応じて、前記タグを検索ページを介して提供して前記ウェブページを露出させることを特徴とする請求項６に記載のディレクトリタグ付けサービス提供方法。
【請求項１０】
前記選択されたタグを前記ウェブページと連関してタグデータベースに保存および維持する段階は、
前記タグデータベースに前記ウェブページと連関された同一のタグが存在するか否かを確認する段階と、
前記同一のタグが存在するか否かに応じて前記選択されたタグを前記ウェブページと連関して保存する段階と、
を含むことを特徴とする請求項５に記載のディレクトリタグ付けサービス提供方法。
【請求項１１】
前記タグデータベースは、１つのウェブページと連関した同一のタグの数が前記選択されたタグと連関して保存され、
前記同一のタグが存在するか否かに応じて前記選択されたタグを前記ウェブページと連関して保存する段階は、
前記同一のタグが存在する場合には前記同一のタグの数を増加させ、前記同一のタグが存在しない場合には前記選択されたタグを前記ウェブページと連関して保存することを特徴とする請求項１０に記載のディレクトリタグ付けサービス提供方法。
【請求項１２】
請求項１ないし１１のいずれか一項の方法を実行させるためのプログラムを記録したコンピュータ読み取り可能な記録媒体。
【請求項１３】
ディレクトリタグ付けサービスを提供するシステムであって、
ウェブページから出現頻度順に所定の数の単語を抽出する単語抽出部と、
前記単語を用いて前記ウェブページのタグリストを生成および維持するタグリスト維持部と、
前記ウェブページにアクセスしたユーザに前記タグリストを提供し、前記ユーザから選択されたタグを確認するタグ確認部と、
を含むことを特徴とするディレクトリタグ付けサービス提供システム。
【請求項１４】
前記選択されたタグを前記ウェブページと連関して保存および維持するタグデータベースをさらに含むことを特徴とする請求項１３に記載のディレクトリタグ付けサービス提供システム。
【請求項１５】
前記タグデータベースを用いて前記ウェブページを露出させるウェブページ露出部をさらに含むことを特徴とする請求項１４に記載のディレクトリタグ付けサービス提供システム。
【請求項１６】
前記タグデータベースは、
前記ウェブページと連関した同一のタグが存在するか否かに応じて、前記選択されたタグを前記ウェブページと連関して保存、または前記同一のタグの数を増加させることを特徴とする請求項１４に記載のディレクトリタグ付けサービス提供システム。
【請求項１７】
前記単語抽出部は、
ディレクトリデータベースからＵＲＬを抽出するＵＲＬ抽出部と、
前記ＵＲＬに該当するウェブページを巡回してテキスト内容を抽出するテキスト内容抽出部と、
前記テキスト内容から単語を抽出し、前記単語別に前記出現頻度を集計する出現頻度集計部と、
前記単語のうちから前記出現頻度順に前記所定の数の単語を抽出する抽出部と、
を含むことを特徴とする請求項１３に記載のディレクトリタグ付けサービス提供システム。
【請求項１８】
前記タグリスト維持部は、
前記出現頻度順に整列された前記単語のリストを、前記タグリストとして生成して維持することを特徴とする請求項１３に記載のディレクトリタグ付けサービス提供システム。
【発明の詳細な説明】
【技術分野】
【０００１】
本発明は、ディレクトリタグ付けサービス（ｄｉｒｅｃｔｏｒｙ  ｔａｇｇｉｎｇ  ｓｅｒｖｉｃｅ）を提供する方法及びこの方法を実行するシステムに関し、より詳細には、ウェブページに対するタグを用いてユーザのディレクトリサービスへの参加を誘導して集団的知性を導き出すことによりディレクトリサービスに対するユーザの興味と関心を誘発させ、ウェブページを提供するサービスの正確度を高めることでユーザの満足度を高める方法及びシステムに関する。
【背景技術】
【０００２】
ディレクトリサービスとは、インターネット情報資源を分類体系に組職化し、検索及びブラウジングできるようにすることで、ユーザが所望する情報を容易に探し出せるようにするサービスを意味する。図１は、従来技術におけるディレクトリサービスを説明するための一例である。
【０００３】
ポータルサイトなどを提供するサーバ１０１は、ディレクトリデータベース１０３を用いて、検索、ブラウジング、又は検索結果の詳細情報などのディレクトリサービス１０４をユーザ端末機１０２に提供することができる。このようなディレクトリサービス１０４は、効率的な情報検索、又はユーザにとって価値ある情報を収集及び組職化してユーザに提供するために用いられる。
【０００４】
しかし、既存のディレクトリサービスは、ディレクトリサービスに対する評価のように、ユーザによる単方向性の参加だけが可能であって積極的な参加通路は存在しない実情であり、これによってサービスが全般的に停滞するという問題点を抱えていた。
【発明の開示】
【発明が解決しようとする課題】
【０００５】
本発明は、前記のような問題点を解決するために案出されたものであって、ディレクトリタグ付けサービスを提供する方法およびこの方法を実行するシステムに関する新しい技術を提案する。
【０００６】
本発明は、ディレクトリサービスのウェブページに対するタグをユーザが選択できるようにすることで、ユーザのディレクトリサービスへの参加を誘導して集団的知性を導き出すことにより、ディレクトリサービスに対するユーザの興味と関心を誘発してディレクトリサービスを活性化させることを目的とする。
【０００７】
さらに、本発明は、ディレクトリデータベースに存在するＵＲＬを用い、このＵＲＬに該当するウェブページから所定の数の単語をタグとして抽出することで、ウェブページを提供するサービスの正確度を高めることにより、ユーザの満足度を高めることを他の目的とする。
【課題を解決するための手段】
【０００８】
前記の目的を達成し、上述した従来技術の問題点を解決するために、本発明の一実施形態に係るディレクトリタグ付けサービスを提供する方法は、ウェブページから出現頻度順に所定の数の単語を抽出する段階と、前記単語を用いて前記ウェブページのタグリストを生成および維持する段階と、前記ウェブページにアクセスしたユーザに前記タグリストを提供し、前記ユーザにより選択されたタグを確認する段階と、前記選択されたタグを前記ウェブページと連関してタグデータベースに保存および維持する段階とを含む。このとき、ディレクトリタグ付けサービスを提供する前記方法は、前記タグデータベースを用いて前記ウェブページを露出させる段階をさらに含むことができる。
【０００９】
本発明の一側面によれば、前記タグデータベースを用いて前記ウェブページを露出させる前記段階は、前記ユーザから前記ウェブページと連関して保存された同一タグの数に応じて、（１）前記タグを含む検索語に対する前記ウェブページの検索ランキングに前記タグ数を反映したり、（２）前記タグを検索キーワードとして追加したり、（３）前記タグを検索ページを介して提供したりすることで、前記ウェブページを露出させる段階であり得る。
【００１０】
本発明の他の側面によれば、ウェブページから出現頻度順に所定の数の単語を抽出する前記段階は、ディレクトリデータベースからＵＲＬを抽出する段階と、前記ＵＲＬに該当するウェブページを巡回してテキスト内容を抽出する段階と、前記テキスト内容から単語を抽出し、前記単語別に前記出現頻度を集計する段階と、前記単語のうちから前記出現頻度順に前記所定の数の単語を抽出する段階とを含むことができる。
【００１１】
本発明のさらに他の側面によれば、前記単語を用いて前記ウェブページのタグリストを生成および維持する前記段階は、前記出現頻度順に整列された前記単語のリストを前記タグリストとして生成して維持する段階であり得る。また、前記ウェブページにアクセスしたユーザに前記タグリストを提供し、前記ユーザから選択されたタグを確認する前記段階は、前記ウェブページが含む詳細情報提供機能によって前記タグリストを提供し、前記タグリストのタグのうちから前記ユーザによって選択されたタグを確認する段階であり得る。
【００１２】
本発明の他の実施形態において、ディレクトリタグ付けサービスを提供するシステムは、ウェブページから出現頻度順に所定の数の単語を抽出する単語抽出部と、前記単語を前記ウェブページのタグとしてタグリストを生成および維持するタグリスト維持部と、前記ウェブページにアクセスしたユーザに前記タグリストを提供し、前記ユーザから選択されたタグを確認するタグ確認部と、前記選択されたタグを前記ウェブページと連関して保存および維持するタグデータベースとを含む。このとき、ディレクトリタグ付けサービス提供システムは、前記タグデータベースを用いて前記ウェブページを露出させるウェブページ露出部をさらに含むことができる。
【発明の効果】
【００１３】
本発明によれば、ディレクトリサービスのウェブページに対するタグをユーザが選択することで、ユーザのディレクトリサービスへの参加を誘導して集団的知性を導き出すことにより、ディレクトリサービスに対するユーザの興味と関心を誘発してディレクトリサービスを活性化することができる。
【００１４】
また、本発明によれば、ディレクトリデータベースに存在するＵＲＬを用い、このＵＲＬに該当するウェブページから所定の数の単語をタグとして抽出することで、ウェブページを提供するサービスの正確度を高めてユーザの満足度を高めることができる。
【発明を実施するための最良の形態】
【００１５】
以下、添付の図面を参照しながら、本発明に係る多様な実施形態について詳しく説明する。
【００１６】
図２は、本実施形態に係るディレクトリタグ付けサービス提供システムを概括的に示した図である。
【００１７】
本実施形態に係るディレクトリタグ付けサービス提供システムは、ディレクトリデータベース２０１からＵＲＬを抽出（２０２）し、抽出されたＵＲＬに該当するウェブページを巡回（２０３）してテキスト内容を抽出する。この後、ディレクトリタグ付けサービス提供システムは、抽出されたテキスト内容から単語（例えば名詞）を抽出し、この出現頻度を集計（測定）することで、出現頻度順に所定の数の単語を抽出（２０４）する。
【００１８】
このようにして抽出された単語は、ウェブページのタグとして用いられる。すなわち、本実施形態のディレクトリタグ付けサービス提供システムは、このような抽出されたタグを出現頻度順に整列することで、ウェブページのタグリスト２０５を生成し、維持する。
【００１９】
また、本実施形態のディレクトリタグ付けサービス提供システムは、ウェブページにアクセスするユーザにタグリスト２０５を提供し、ユーザによりタグリスト２０５から選択されたタグを確認（２０６）する。このような選択されたタグは、ウェブページと連関してタグデータベース２０７に保存され、タグデータベース２０７は、検索、ブラウジング、またはウェブページの詳細情報に用いられる。
【００２０】
図３は、本発明の一実施形態において、ディレクトリタグ付けサービスを提供する方法を示したフローチャートである。
【００２１】
段階Ｓ３０１で、タグを用いてディレクトリサービスを提供する本実施形態のディレクトリタグ付けサービス提供システムは、ウェブページから出現頻度順に所定の数の単語を抽出する。具体的には、本実施形態のディレクトリタグ付けサービス提供システムは、ウェブページで多く出現する順に単語を所定の数だけ抽出する。このような単語を抽出する方法については、図４を参照しながらより詳しく説明する。
【００２２】
段階Ｓ３０２で、本実施形態のディレクトリタグ付けサービス提供システムは、抽出された単語を用いてウェブページのタグリストを生成および維持する。このとき、本実施形態のディレクトリタグ付けサービス提供システムは、出現頻度順に整列された単語のリストを、タグリストとして生成して維持する。
【００２３】
段階Ｓ３０３で、本実施形態のディレクトリタグ付けサービス提供システムは、ウェブページにアクセスしたユーザにタグリストを提供し、ユーザから選択されたタグを確認する。具体的には、本実施形態のディレクトリタグ付けサービス提供システムは、ウェブページが含んでいる詳細情報提供機能によってタグリストをユーザに提供し、提供されたタグリストのタグのうちからユーザによって選択されたタグを確認する。
【００２４】
例えば、本実施形態のディレクトリタグ付けサービス提供システムは、詳細情報提供機能によってタグそれぞれにチェックボックスが付されているタグリストをユーザに提供する。このとき、ユーザは、ディレクトリサービスの利用中に現在使用しているウェブページの詳細情報提供機能によって提供される詳細情報を介してタグリストの提供を受け、このタグリストが含んでいるタグのチェックボックスのうち特定のタグのチェックボックスにチェックすることでタグを選択することができる。すなわち、本実施形態のディレクトリタグ付けサービス提供システムは、ユーザによってチェックされたチェックボックスを参照することで、ユーザから選択されたタグを確認する。
【００２５】
また、本実施形態のディレクトリタグ付けサービス提供システムは、詳細情報提供機能によってタグリストを提供する場合に、タグ別統計をタグリストとともに提供することで、ユーザがタグを選択するときにウェブページにおけるタグ毎の出現頻度を参照できるようにする。
【００２６】
段階Ｓ３０４で、本実施形態のディレクトリタグ付けサービス提供システムは、選択されたタグをウェブページと連関してタグデータベースに保存および維持する。このとき、本実施形態のディレクトリタグ付けサービス提供システムは、タグデータベースに同一のウェブページと連関した同一のタグが既に存在するか否かを確認し、同一タグが存在するか否かに応じてタグをウェブページと連関して保存する。
【００２７】
すなわち、タグデータベースは、１つのウェブページと連関した同一タグの数が選択されたタグと連関して保存される。本実施形態のディレクトリタグ付けサービス提供システムは、同一タグが存在するか否かに応じてタグを保存するため、同一のタグが存在する場合には同一のタグの数を増加させ、同一タグが存在しない場合には選択されたタグをウェブページと連関して保存する。
【００２８】
より詳しく説明すれば、本実施形態のディレクトリタグ付けサービス提供システムは、同一のウェブページに対する同一のタグが既にタグデータベースに保存されている場合には、このような同一タグの数を増加させることによって、同一のウェブページに対する同一のタグの数を確認する。また、同一のタグがタグデータベースに保存されていない場合には、当該タグを抽出されたウェブページと連関して保存する。例えば、ウェブページ「Ａ」に対するタグ「Ｂ」が存在している場合に、その数が「３」である場合には、数を増加させて「４」として保存する。また、ウェブページ「Ａ」から抽出されたタグ「Ｂ」が存在しない場合には、タグ「Ｂ」をウェブページ「Ａ」と連関して保存する。なお、このときの数は「１」となる。
【００２９】
段階Ｓ３０５で、本実施形態のディレクトリタグ付けサービス提供システムは、タグデータベースを用いてウェブページを露出させる。このとき、本実施形態のディレクトリタグ付けサービス提供システムは、ウェブページと連関してタグデータベースに保存されている同一タグの数に応じて、（１）タグを含む検索語に対するウェブページの検索ランキングにタグの数を反映したり、（２）タグを検索キーワードとして追加したり、（３）タグを検索ページを介して提供したりすることで、ウェブページを露出させる。
【００３０】
例えば、ウェブページと連関してタグデータベースに保存された同一タグの数が所定の数以上である場合には、ウェブページの検索ランキングを上げることができる。また、タグデータベースに保存された同一タグの数が所定の数未満である場合には、検索ランキングを下げることができる。また、同一タグの数が所定の数以上である場合には、当該タグを検索キーワードとして追加することによって、ウェブページが露出されるようにすることができる。また、タグを検索ページに露出させることによって、タグに対するブラウジングを介してウェブページが露出されるようにもすることができる。
【００３１】
このように、本実施形態のディレクトリタグ付けサービス提供システムによれば、ユーザの選択によって検索結果やブラウジングの構成が変化するようになるため、ディレクトリサービスへのユーザの関心および参加を誘導することができる。
【００３２】
図４は、本発明の一実施形態において、ウェブページから出現頻度順に所定の数の単語を抽出する方法を示したフローチャートである。図４に示されたように、図３を参照しながら説明した本発明の一実施形態であるディレクトリタグ付けサービスを提供する方法は、ウェブページから単語を抽出するために段階Ｓ３０１に段階Ｓ４０１ないし段階Ｓ４０４を含んで実行される。
【００３３】
段階Ｓ４０１で、本実施形態のディレクトリタグ付けサービス提供システムは、ディレクトリデータベースからＵＲＬを抽出する。すなわち、本実施形態のディレクトリタグ付けサービス提供システムは、ディレクトリサービス内に登録されたＵＲＬを抽出する。
【００３４】
段階Ｓ４０２で、本実施形態のディレクトリタグ付けサービス提供システムは、抽出されたＵＲＬに該当するウェブページを巡回してテキスト内容を抽出する。このようなテキスト内容は、クローラなどを用いて抽出することができる。ここで、クローラとは、ウェブ上の多様な情報を自動的に検索して索引に追加するために検索エンジンを運営するサイトで用いられるソフトウェアであって、スパイダ、ボット、知能エージェントとも呼ばれる。すなわち、本実施形態のディレクトリタグ付けサービス提供システムは、人間が該当するサイトの情報を検索するのではなく、コンピュータプログラムに予め入力された方式に従って常に新しいウェブページを探し出して総合し、これから得られた結果を用いてさらに新しい情報を探し出して索引に追加するという作業を繰り返し実行するクローラなどを用いてテキスト内容を抽出する。
【００３５】
段階Ｓ４０３で、本実施形態のディレクトリタグ付けサービス提供システムは、段階Ｓ４０２において抽出されたテキスト内容から単語を抽出し、単語別に出現頻度を測定する。例えば、テキスト内容から名詞抽出器を用いて名詞だけを単語として抽出し、抽出された単語の出現頻度をそれぞれ測定する。
【００３６】
段階Ｓ４０４で、本実施形態のディレクトリタグ付けサービス提供システムは、段階Ｓ４０３において抽出された単語のうちから、段階Ｓ４０３の測定結果に基づき出現頻度順に所定の数の単語を抽出する。例えば、本実施形態のディレクトリタグ付けサービス提供システムは、出現頻度が高い順に１０個の単語を抽出する。このようにして抽出された単語は、それぞれがウェブページと連関したタグとなり、上述したように段階Ｓ３０２においてタグリストを生成するのに用いられる。
【００３７】
また、抽出された単語は、エディタ検収によって悪用（ａｂｕｓｉｎｇ）を取り除くことができる。すなわち、ウェブページが含んでいる単語によってウェブページの検索ランキングが変化するため、ウェブページに任意の特定単語を多数追加するという悪用が発生する恐れがある。これをエディタ検収によって取り除くことができる。
【００３８】
このように、本発明に係るディレクトリタグ付けサービス提供方法を用いれば、ディレクトリサービスのウェブページに対するタグをユーザが選択することでユーザの参加を誘導して集団的知性を導き出すことにより、ディレクトリサービスに対するユーザの興味と関心を誘発してディレクトリサービスを活性化することができる。また、ディレクトリデータベースに存在するＵＲＬを用い、このＵＲＬに該当するウェブページから所定の数の単語をタグとして抽出することで、ウェブページを提供するサービスの正確度を高めてユーザの満足度を高めることができる。
【００３９】
図５は、本発明の他の実施形態において、ディレクトリタグ付けサービス提供システムの内部構成を説明するためのブロック図である。図５に示されたように、本実施形態のディレクトリタグ付けサービス提供システム５００は、単語抽出部５０１、タグリスト維持部５０２、タグ確認部５０３、タグデータベース５０４、およびウェブページ露出部５０５を含む。
【００４０】
単語抽出部５０１は、ウェブページから出現頻度順に所定の数の単語を抽出する。具体的には、単語抽出部５０１は、ウェブページで多く出現する順に単語を所定の数だけ抽出する。このようなウェブページから単語を抽出する単語抽出部５０１については、図６を参照しながらより詳しく説明する。
【００４１】
タグリスト維持部５０２は、抽出された単語を用いてウェブページのタグリストを生成および維持する。このとき、タグリスト維持部５０２は、出現頻度順に整列された単語のリストを、タグリストとして生成して維持する。
【００４２】
タグ確認部５０３は、ウェブページにアクセスしたユーザにタグリストを提供し、ユーザから選択されたタグを確認する。具体的には、タグ確認部５０３は、ウェブページが含む詳細情報提供機能によってユーザにタグリストを提供し、タグリストのタグのうちユーザによって選択されたタグを確認する。例えば、タグ確認部５０３は、詳細情報提供機能によってタグそれぞれのフィールドに発生するイベントを確認したり、タグリストをユーザに提供した後に、ユーザから発生したクリックなどのイベントによってユーザから選択されたタグを確認したりすることができる。
【００４３】
タグデータベース５０４は、選択されたタグをウェブページと連関して保存および維持する。このとき、本実施形態のディレクトリタグ付けサービス提供システム５００は、タグデータベース５０４にウェブページと連関した同一のタグが存在するか否かを確認し、同一タグが存在するか否かに応じて選択されたタグをウェブページと連関して保存する。
【００４４】
すなわち、タグデータベース５０４は、１つのウェブページと連関した同一タグの数を選択されたタグと連関して保存する。本実施形態のディレクトリタグ付けサービス提供システム５００は、同一タグが存在するか否か応じてタグを保存するため、同一タグが存在する場合には同一タグの数を増加させ、同一タグが存在しない場合には選択されたタグをウェブページと連関して保存する。
【００４５】
ウェブページ露出部５０５は、タグデータベース５０４を用いてウェブページを露出させる。このとき、ディレクトリタグ付けサービス提供システム５００は、ウェブページと連関して保存された同一タグの数に応じて、（１）タグを含む検索語に対するウェブページの検索ランキングにタグの数を反映したり、（２）タグを検索キーワードとして追加したり、（３）タグを検索ページを介して提供したりすることで、ウェブページを露出させることができる。
【００４６】
図６は、本発明の他の実施形態において、単語抽出部の内部構成を説明するためのブロック図である。図６に示されたように、単語抽出部５０１は、ＵＲＬ抽出部６０１、ディレクトリデータベース６０２、テキスト内容抽出部６０３、出現頻度集計部６０４、および抽出部６０５を含むことができる。
【００４７】
ＵＲＬ抽出部６０１は、ディレクトリデータベース６０２からＵＲＬを抽出する。すなわち、ＵＲＬ抽出部６０１は、ディレクトリサービス内に登録されたＵＲＬを抽出する。
【００４８】
テキスト内容抽出部６０３は、抽出されたＵＲＬに該当するウェブページを巡回してテキスト内容を抽出する。このようなテキスト内容は、クローラなどを用いて抽出することができる。すなわち、テキスト内容抽出部６０３は、人間が該当するサイトの情報を検索するのではなく、コンピュータプログラムに予め入力された方式に従って常に新しいウェブページを探し出して総合し、これによって得られた結果を用いてさらに新しい情報を探し出して索引に追加するという作業を繰り返し実行するクローラを用いることで、テキスト内容を抽出することができる。
【００４９】
出現頻度集計部６０４は、抽出されたテキスト内容から単語を抽出し、単語別に出現頻度を集計（測定）する。例えば、テキスト内容から名詞抽出器を用いて名詞だけを単語として抽出し、抽出された単語の出現頻度をそれぞれ測定する。
【００５０】
抽出部６０５は、テキスト内容から抽出された単語の中から出現頻度順に所定の数の単語を抽出する。例えば、抽出部６０５は、出現頻度が高い順に１０個の単語を抽出する。このように抽出された単語それぞれは、ウェブページと連関したタグとなり、上述したようにタグリスト維持部５０２においてタグリストを生成するのに用いられる。
【００５１】
このように、本発明に係るディレクトリタグ付けサービス提供システムを用いれば、ディレクトリサービスのウェブページに対するタグをユーザが選択することでユーザの参加を誘導して集団的知性を導き出すことにより、ディレクトリサービスに対するユーザの興味と関心を誘発してディレクトリサービスを活性化することができる。また、ディレクトリデータベースに存在するＵＲＬを用い、このＵＲＬに該当するウェブページから所定の数の単語をタグとして抽出することで、ウェブページを提供するサービスの正確度を高めてユーザの満足度を高めることができる。
【００５２】
なお、本発明に係るディレクトリタグ付けサービス提供システムは、コンピュータにより具現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるもののような機械語コードだけでなく、インタプリタなどを用いてコンピュータによって実行される高級言語コードを含む。前記したハードウェア要素は、本発明の動作を実行するために一以上のソフトウェアモジュールとして作動するように構成することができ、その逆もできる。
【００５３】
上述したように、本発明を好ましい実施形態に則して説明したが、本発明の属する技術分野において熟練した当業者にとっては、特許請求の範囲に記載された本発明の技術的思想およびその領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【図面の簡単な説明】
【００５４】
【図１】従来技術において、ディレクトリサービスを説明するための一例である。
【図２】本発明に係るディレクトリタグ付けサービス提供システムを概括的に示した図である。
【図３】本発明の一実施形態において、ディレクトリタグ付けサービス提供方法を示したフローチャートである。
【図４】本発明の一実施形態において、ウェブページから出現頻度順に所定の数の単語を抽出する方法を示したフローチャートである。
【図５】本発明の他の実施形態において、ディレクトリタグ付けサービス提供システムの内部構成を説明するためのブロック図である。
【図６】本発明の他の実施形態において、単語抽出部の内部構成を説明するためのブロック図である。
【符号の説明】
【００５５】
５００：ディレクトリタグ付けサービス提供システム
５０１：単語抽出部
５０２：タグリスト維持部
５０３：タグ確認部
５０４：タグデータベース
５０５：ウェブページ露出部
６０１：ＵＲＬ抽出部
６０２：ディレクトリデータベース
６０３：テキスト内容抽出部
６０４：出現頻度集計部
６０５：抽出部
【図１】
2008262559.tif 000003
【図２】
2008262559.tif 000004
【図３】
2008262559.tif 000005
【図４】
2008262559.tif 000006
【図５】
2008262559.tif 000007
【図６】
2008262559.tif 000008